(57)【要約】【課題】  デジタル無線システムにおいては、発信局が自身の所属していないグループを選択してグループ通信の呼出しを行って、発信局が一度圏外に移行した場合、その後発信局が圏内に移行しても後追い参入信号を受信できず、グループ通信に復帰することができなかった。これにより、発信局はグループ通信の終了操作を行うことができなかった。  【解決手段】  本発明の無線通信システムは、発信移動局と、基地局とを備え、発信移動局が、グループ番号を含む信号であるグループ通信開始要求信号を基地局に発信し、発信したグループ通信開始要求信号に含まれるグループ番号を内部メモリに記憶し、グループ番号を含む信号であるグループ通信後追い参入信号を基地局から受信した場合に、内部メモリに記憶されているグループ番号とグループ通信後追い参入信号に含まれるグループ番号とが一致する場合にグループ通信に参入する。【選択図】      図１
2016140033.tif 000002
【特許請求の範囲】
【請求項１】
グループ番号を含む信号であるグループ通信開始要求信号を前記基地局に発信し、
発信した前記グループ通信開始要求信号に含まれる前記グループ番号を内部メモリに記憶し、
グループ番号を含む信号であるグループ通信後追い参入信号を前記基地局から受信した場合に、前記内部メモリに記憶されている前記グループ番号と前記グループ通信後追い参入信号に含まれる前記グループ番号とが一致する場合にグループ通信に参入する、
発信移動局。
【請求項２】
発信移動局と、
基地局
とを備え、
前記発信移動局が、
グループ番号を含む信号であるグループ通信開始要求信号を前記基地局に発信し、
発信した前記グループ通信開始要求信号に含まれる前記グループ番号を内部メモリに記憶し、
グループ番号を含む信号であるグループ通信後追い参入信号を前記基地局から受信した場合に、前記内部メモリに記憶されている前記グループ番号と前記グループ通信後追い参入信号に含まれる前記グループ番号とが一致する場合にグループ通信に参入する、
無線通信システム。
【請求項３】
前記内部メモリに記憶されている前記グループ番号と前記グループ通信後追い参入信号に含まれる前記グループ番号とを比較する、
請求項１に記載した無線通信システム。
【請求項４】
複数の移動局をさらに含み、
前記基地局が前記グループ通信開始要求信号を受信し、前記グループ番号を含むグループ通信開始信号を発信し、
前記複数の基地局が前記グループ通信開始信号を受信し、前記グループ番号を含むグループ通信開始信号を待ち受けている場合のみ前記発信局との通信を開始する
請求項１または２に記載した無線通信システム。
【請求項５】
グループ番号を含む信号であるグループ通信開始要求信号を発信し、
発信した前記グループ通信開始要求信号に含まれる前記グループ番号を記憶し、
グループ番号を含む信号であるグループ通信後追い参入信号を受信した場合に、前記記憶されている前記グループ番号と前記グループ通信後追い参入信号に含まれる前記グループ番号とを比較し、一致する場合にグループ通信に参入する、
無線システムのグループ通信方法。
【発明の詳細な説明】
【技術分野】
【０００１】
本発明は、デジタル移動通信システムに関し、特に、無線システムのグループ通信方法に関する。
【背景技術】
【０００２】
一般的なデジタル移動通信システムとして、複数の基地局と複数の端末局がＴＤＭＡ（Ｔｉｍｅ  Ｄｉｖｉｓｉｏｎ  Ｍｕｌｔｉｐｌｅ  Ａｃｃｅｓｓ）方式により動作するデジタル無線システムが知られている。このデジタル無線システムでは、通常の通信の中に、端末局同士が１対１で通信を行なう個別通信機能と予め登録されているグループ内にある複数の端末局となら１対複数で同時に通信が行なえるグループ通信機能との２種の機能を備え、さらにグループ通信機能として後追い参入呼出機能が含まれている。
【０００３】
ここで、後追い参入呼出機能とは、グループ通信中のとき一定時間毎にグループ内にある複数の端末局に対して呼出信号を送出し、電波不達等で呼出信号が受信できなかった端末局が後から呼出信号を受信することでグループ通信に参入する機能のことである。
【０００４】
非特許文献１には、このようなデジタル無線システムについて記載されている。
【先行技術文献】
【非特許文献】
【０００５】
【非特許文献１】都道府県・市町村デジタル移動通信システムＡＲＩＢ  ＳＴＤ  Ｔ−７９  ３．０版（社団法人電波産業会）平成２１年７月２９日改定
【発明の概要】
【発明が解決しようとする課題】
【０００６】
上述したデジタル無線システムにおいては、グループ通信の呼出しが単一のグループを選択して呼出す。このため、発信局が自身の所属していないグループに対してグループ通信の呼出しを行った後に発信局が圏外に移行した場合、その後発信局が圏内に移行してもグループ通信に復帰することができなかった。これにより、発信局はグループ通信の終了操作を行うことができなかった。
【０００７】
本発明の目的は、発信局が自身の所属していないグループを選択してグループ通信の呼出しを行って、発信局が一度圏外に移行した場合でも、発信局が圏内に移行した時にグループ通信に復帰し、グループ通信の終了操作を行うことができるデジタル無線システムを提供することにある。
【課題を解決するための手段】
【０００８】
本発明の無線通信システムは、発信移動局と、基地局とを備え、発信移動局が、グループ番号を含む信号であるグループ通信開始要求信号を基地局に発信し、発信したグループ通信開始要求信号に含まれるグループ番号を内部メモリに記憶し、グループ番号を含む信号であるグループ通信後追い参入信号を基地局から受信した場合に、内部メモリに記憶されているグループ番号とグループ通信後追い参入信号に含まれるグループ番号とが一致する場合にグループ通信に参入する。
【０００９】
本発明の発信移動局は、グループ番号を含む信号であるグループ通信開始要求信号を基地局に発信し、発信したグループ通信開始要求信号に含まれるグループ番号を内部メモリに記憶し、グループ番号を含む信号であるグループ通信後追い参入信号を基地局から受信した場合に、内部メモリに記憶されているグループ番号とグループ通信後追い参入信号に含まれるグループ番号とが一致する場合にグループ通信に参入する。
【００１０】
本発明の無線システムのグループ通信方法は、グループ番号を含む信号であるグループ通信開始要求信号を発信し、発信したグループ通信開始要求信号に含まれるグループ番号を記憶し、グループ番号を含む信号であるグループ通信後追い参入信号を受信した場合に、記憶されているグループ番号とグループ通信後追い参入信号に含まれるグループ番号とを比較し、一致する場合にグループ通信に参入する。
【発明の効果】
【００１１】
本発明によれば、発信局が自身の所属していないグループを選択してグループ通信の呼出しを行って、発信局が一度圏外に移行した場合でも、発信局は圏内に移行した時にグループ通信に復帰することができる。
【図面の簡単な説明】
【００１２】
【図１】本発明の実施形態にかかる無線通信システムの構成を示すブロック図である。
【図２】本発明の実施形態にかかる無線通信システムの動作を説明するためのシーケンス図である。
【発明を実施するための形態】
【００１３】
以下に、図面を参照しながら、本発明の実施形態について詳細に説明する。なお、以下の説明では、同じ機能を有するものには同じ符号をつけ、その説明を省略する場合がある。
【００１４】
（構成）
図1は本発明の実施形態にかかる無線通信システムの構成を示すブロック図である。
【００１５】
本発明の無線通信システムは、統制局３と、基地局４と、発信移動局５−１および複数の移動局５を有する。統制局３は操作卓１と通信制御装置２を有する。複数の移動局５は、予め任意に定める台数のグループを形成している。グループにはそれぞれ一意に対応する番号である所属グループ番号が割り当てられている。発信移動局５−１および複数の移動局５はそれぞれ複数の所属グループ番号を保存するための内部メモリ６を有する。
【００１６】
（作用）
図２は本発明の実施形態にかかる無線通信システムの動作を説明するためのシーケンス図である。
【００１７】
グループ通信を開始する場合、発信移動局５−１は基地局４へグループ通信開始要求信号を送信する（ステップＳ１）。発信移動局５−１は、グループ通信開始要求信号を送信した場合、グループ通信の対象とするグループの所属グループ番号を、発信移動局５−１の内部メモリ６に所属グループ番号の一つとして保存する（ステップＳ２）。
【００１８】
グループ通信開始要求信号を受信した基地局４は通信制御装置２へグループ通信開始要求を送信する（ステップＳ３）。グループ通信開始要求を受信した通信制御装置２は基地局４へグループ通信開始を送信する（ステップＳ４）。グループ通信開始を受信した基地局４は発信移動局５−１へグループ通信開始要求応答信号を送信する（ステップＳ５）。また、グループ通信開始を受信した基地局４は移動局５へグループ通信開始信号８を送信する（ステップＳ６）。グループ通信開始信号８はグループ通信の対象とするグループの所属グループ番号を含んでいる。
【００１９】
基地局４からグループ通信開始要求応答信号を受信した発信移動局５−１は単信通話を開始する。また、基地局４からグループ通信開始信号を受信した移動局５は、内蔵メモリ６内に保存している所属グループ番号と、グループ通信開始信号８に含まれる所属グループ番号を比較し、一致する所属グループ番号があった場合、単信通話を開始する（グループ通信の着信）。これにより、当該グループに所属する複数の移動局５および発信移動局５−１の相互間の単信通話が開始される。仮に発信移動局５−１が自局５−１の所属していないグループを対象とするグループ通信を発信した場合も、当該グループに所属する複数の移動局５および発信移動局５−１との相互間にて単信通話を行うことができる。
【００２０】
グループ通信が開始された後、基地局４から発信移動局５−１および移動局５へグループ通信後追い参入信号９が定期的に発信される（ステップＳ７）。グループ通信後追い参入信号９は参入した場合にグループ通信の対象となるグループの所属グループ番号を含んでいる。発信移動局５−１および移動局５は、グループ通信を行っていない時にこのグループ通信後追い参入信号９を受信すると、グループ通信後追い参入信号９に含まれるグループ番号と内部メモリ６内に保存している所属グループ番号とを比較する。そして、グループ通信後追い参入信号９に含まれるグループ番号と内部メモリ６内の所属グループ番号とで一致する番号があった場合、移動局５は単信通話を開始する（グループ通信の着信）。これにより、グループ通信開始時の呼出信号が受信できなかった等の事情からグループ通信を行っていない移動局５も当該グループ通信に参入することが出来る（後追い参入）。
【００２１】
なお、本実施形態にかかる無線通信システムがグループ通信を終了する場合、次に示すような動作をしてもよい。発信移動局５−１は基地局４へグループ通信終了要求信号を発信する（ステップＳ８）。グループ通信終了要求信号を受信した基地局４は通信制御装置２へグループ通信終了要求を送信する（ステップＳ９）。グループ通信終了要求を受信した通信制御装置２は基地局４へグループ通信終了を送信する（ステップＳ１０）。グループ通信終了を受信した基地局４は発信移動局５−１へグループ通信終了要求応答信号を送信する（ステップＳ１１）。また、グループ通信終了を受信した基地局４は移動局５へグループ通信終了信号を送信する（ステップＳ１２）。
【００２２】
発信移動局５−１は、グループ通信が終了した場合、発信移動局５−１の内部メモリ６に所属グループ番号として一時的に保存していた発信グループ番号を削除する（ステップＳ１３）。もしくは発信移動局５−１は、別の通信が開始された場合に発信移動局５−１の内部メモリ６に所属グループ番号として一時的に保存していた発信グループ番号を削除してもよい。
【００２３】
複数の移動局５のいずれかが発信移動局５−１としての動作を行うこととしてもよい。
【００２４】
（効果）
本実施形態によれば、発信局が自身の所属していないグループに対するグループ通信を行った場合であっても、発信局はグループ通信に復帰することができる。これにより、発信局からグループ通信の終了操作を行うことができる。
【００２５】
また、発信移動局５−１は、終了操作１０を行うことが可能となり、通信制御装置２が判断する通信時限満了による強制切断１２、もしくは操作卓１からの指示による強制切断１１を用いることなくグループ通信を終了することもできる。
【００２６】
本発明は上記実施形態に限定されることなく、特許請求の範囲に記載の発明の範囲内で、種々の変形が可能であり、それらも本発明の範囲内に含まれるものであることはいうまでもない。
【符号の説明】
【００２７】
１    操作卓
２    通信制御装置
３    統制局
４    基地局
５    移動局
５−１    発信移動局
６    内部メモリ
７    グループ
【図１】
2016140033.tif 000003
【図２】
2016140033.tif 000004